(57)【要約】      （修正有）【課題】モップ雑巾である払拭用糸モップの交換を、資源の無駄使いを招くことなく、容易かつ迅速に実施可能にする。【解決手段】操作柄４の先端に取り付け可能な払拭用糸モップのモップ支持台１と、モップ支持台１に対し払拭用糸モップを介在して着脱可能なモップ抑圧部材２と、を設けて、モップ支持台１の両端部に設けた掛止部に対し、モップ抑圧部材２の両端に設けられた可撓性の係止爪部７、８を係止可能にする構成である。【選択図】図１
0003130030.tif 000002
【実用新案登録請求の範囲】
【請求項１】
操作柄の先端に取り付け可能であり、払拭用糸モップを支持するモップ支持台と、
該モップ支持台に対し前記払拭用糸モップを着脱可能に抑圧するモップ抑圧部材と、
を備え、
前記モップ支持台の両端部には掛止部が設けられ、
前記モップ抑圧部材の両端部には、前記払拭用糸モップの厚みに応じて前記掛止部に対し選択的に係止可能となる可撓性の複数の係止爪部が設けられてなることを特徴とするモップ装置。
【請求項２】
前記モップ支持台およびモップ抑圧部材には、これらの長手方向の複数箇所に前記払拭用糸モップを押圧するためのモップ支持台側リブおよびモップ抑圧部材側リブがそれぞれ設けられてなることを特徴とする請求項１に記載のモップ装置。
【請求項３】
前記モップ抑圧部材側リブの下縁には、前記モップ支持台上の払拭用糸モップに突き当てるための突子が設けられてなることを特徴とする請求項２に記載のモップ装置。
【考案の詳細な説明】
【技術分野】
【０００１】
本考案は、床面などの平坦面の清掃に利用するモップ装置に係り、特に払拭用糸モップの交換が可能なモップ装置に関する。
【背景技術】
【０００２】
従来、払拭用糸モップ（モップ用雑巾）を挟圧した状態で操作柄に着脱自在に取り付けらモップ装置が、例えば特許文献１に示されている。このモップ装置は、全体として剛性、耐久性に優れ、払拭用糸モップを確実に強く挟圧する構成となっている。
【０００３】
また、このモップ装置は、払拭用糸モップを恒久的に挟着する構成であり、繰り返し使用することにより払拭用糸モップのみが傷んで払拭機能が低下し、遂には使用不可能になってしまう。この場合には、払拭用糸モップを、これを挟着する高耐久性の挟着体とともに廃棄し、新しいものとの交換することになる。
【特許文献１】実公昭５４‐１０２１８号公報
【考案の開示】
【考案が解決しようとする課題】
【０００４】
しかしながら、従来のモップ装置にあっては、払拭用糸モップの交換時に挟着体も廃棄することになるため、資源の無駄使いになるほか、払拭用糸モップの交換のために挟着体も新たに交換することとなり、結果としてコスト高になるという問題があった。
また、従来のモップ装置は、払拭用糸モップの交換作業が挟着体やアタッチメントを介して行われるため、その交換作業が複雑かつ面倒であるという問題があった。
【０００５】
本考案は、前記のような従来の問題点を解決するものであり、払拭用糸モップの交換を、資源の無駄使いを招くことなく、容易かつ迅速に実施することができるモップ装置を得ることを目的とする。
【課題を解決するための手段】
【０００６】
前記目的達成のために、本考案にかかるモップ装置は、操作柄の先端に取り付け可能であり、払拭用糸モップを支持するモップ支持台と、該モップ支持台に対し前記払拭用糸モップを着脱可能に抑圧するモップ抑圧部材と、を備え、前記モップ支持台の両端部には掛止部が設けられ、前記モップ抑圧部材の両端部には、前記払拭用糸モップの厚みに応じて前記掛止部に対し選択的に係止可能となる可撓性の複数の係止爪部が設けられてなることを特徴とする。
【０００７】
この構成により、払拭用糸モップをモップ支持台上に載せ、この払拭用糸モップの上から前記モップ抑圧部材を抑圧するという操作のみで、モップ抑圧部材両端の各係止爪部を、モップ支持台におけるいずれかの掛止部のＶ字溝に係止させることができる。この係止によって、前記払拭用糸モップをこれの厚みに応じた押圧力で、モップ支持台に簡単、迅速に保持することができる。
【０００８】
また、本考案にかかるモップ装置は、前記モップ支持台およびモップ抑圧部材に、これらの長手方向の複数箇所に前記払拭用糸モップを押圧するためのモップ支持台側リブおよびモップ抑圧部材側リブがそれぞれ設けられてなることを特徴とする。
この構成により、前記モップ支持台およびモップ抑圧部材による払拭用糸モップの保持力を高めることができるとともに、前記モップ支持台およびモップ抑圧部材自体の強度を高めることもできる。
【０００９】
また、本考案にかかるモップ装置は、前記モップ抑圧部材側リブの下縁に、前記モップ支持台上の払拭用糸モップに突き当てるための突子が設けられてなることを特徴とする。
この構成により、払拭用糸モップにおける複数箇所の一部を集中的に加圧することができ、前記モップ支持台およびモップ抑圧部材による払拭用糸モップの保持力をさらに確実に高めることができる。
【考案の効果】
【００１０】
本考案によれば、モップ雑巾として利用される払拭用糸モップの交換を、資源の無駄使いを招くことなく、容易かつ迅速に実施することができるという効果を有する。
【考案を実施するための最良の形態】
【００１１】
以下に、本考案の実施形態を、図面を参照しながら説明する。
本考案の実施形態によるモップ装置は、基本的に、操作柄の先端に取り付け可能な払拭用糸モップのモップ支持台と、該モップ支持台に対し前記払拭用糸モップを着脱可能に押圧するモップ抑圧部材と、を設けて、前記モップ支持台の両端部に設けた掛止部に対し、前記モップ抑圧部材の両端に設けられた可撓性の係止爪部を係止可能にした構成である。
【００１２】
そして、モップ装置は、払拭用糸モップをモップ支持台上の載せ、この払拭用糸モップの上に前記モップ抑圧部材を抑圧することにより、モップ抑圧部材両端の各係止爪部を、モップ支持台におけるいずれかの掛止部のＶ字溝に係止させて、前記払拭用糸モップをこれの厚みに応じた押圧力で、モップ支持台に保持するように機能する。
【００１３】
図１は、本考案の実施形態によるモップ装置の全体を示す分解斜視図、図２は、図１におけるモップ支持台を示す平面図、図３は、図２に示すモップ支持台の側面図、図４は、図２に示すモップ支持台のＡ−Ａ断面図、図５は、図１におけるモップ抑圧部材を一部破断して示す斜視図、図６は、図１に示すモップ支持台にモップ抑圧部材を嵌め合わせた状態を、一部破断して示す断面図、図７は、図１に示すモップ支持台に払拭用糸モップをセットする様子を示す斜視図、図８は、図１に示すモップ支持台とモップ抑圧部材との間に払拭用糸モップを抑圧する状態の斜視図である。
【００１４】
本実施形態によるモップ装置は、モップ支持台１とモップ抑圧部材２とから構成されている。これらのうち、モップ支持台１は、全体として上方が開口する略長箱形状をなす。このモップ支持台１には、その底部における長手方向の中央部に円筒状の操作柄取付部３が一体に突設され、この操作柄取付部３内に操作柄（操作棒）４の先端が差し込まれ、ネジ等の止め具により固定されている。
【００１５】
前記モップ支持台１内において、底部１ａと、この底部１ａを挟むように起立する側壁部１ｂ、１ｃとに連続するように、モップ支持台１の長手方向に複数本のリブ（モップ支持台側リブ）５が所定間隔おいて突設されている。これらのリブ５の上端部は、それぞれ底部１ａに向かって低くなる傾斜面Ｓとなっている。
【００１６】
側壁部１ｂ、１ｃは、前記操作柄取付部３の下部に至るように底部１ａの下方に延設されている。この延設部１ｄは、図１および図４に示すように、正面から見て円弧状をなし、モップ支持台１と操作柄取付部３との補強を図っている。
【００１７】
前記モップ支持台１の両端部には、底部１ａに連続する傾斜底部１ｅと、平坦部１ｆと、逆Ｖ字形の掛止部１ｇとが連続するように、かつ側壁部１ｂ、１ｃ間に介在されるように設けられている。
前記掛止部１ｇが設けられる部位では、前記側壁部１ｂ、1ｃに連続し、かつ掛止部１ｇとともに、平面視では略Ω字形をなすガイド壁１ｈが形成されている。
これらのガイド壁１ｈ間は、後述のモップ抑圧部材２の両端部を挿入可能なサイズとされている。
【００１８】
モップ抑圧部材２は、図１および図５に示すように、正面から見て、全体として略長コ字形をなし、一定幅の水平片部２ａと、この水平片部２ａの両端に一体に連接された垂直片部２ｂとからなる。
水平片部２ａには、この水平片部２ａとともにＴ字状断面を持つように垂下補強片２ｃが一体に設けられている。この垂下補強片２ｃの前後面および水平片部２ａの下面に連続するように、リブ（モップ抑圧部材側リブ）６が所定間隔をおいて設けられている。  
図５においては、垂下補強片２ｃの両端側にある２個ずつのリブ６は、水平方向への突出幅が他のものより小さく変化している。
【００１９】
また、これらのリブ６のうち、水平片部２ａの幅よりも水平方向に食み出したリブ６の上端部は、下方に向かって低くなる傾斜面Ｔとなっている。なお、これらのリブ６は、モップ支持台１側のリブ５に対し互いに干渉しない位置に設けられている。
【００２０】
水平片部２ａの両端部に設けられた垂直片部２ｂには、複数段、ここでは上下２段の係止爪部７、８が互いに対向する向きに設けられている。これらの係止爪部７、８は、前記逆Ｖ字形の掛止部１ｇに、図６に示すように、選択的に（図６では、係止爪部８が）係合可能な形状、サイズを持つ。
【００２１】
これらの係止爪部７、８を形成する傾斜面には、鋸歯状の複数の水平突条が上下方向に並設されて、掛止部１ｇの下縁に対する摺動を円滑化するようになっている。なお、前記垂直片部２ｂは、水平片部２ａに対し撓み操作可能な硬さを持ち、モップ支持台１にモップ抑圧部材２を装着した際に、前記モップ支持台１の傾斜面部１ｅ、平坦部１ｆおよび掛止部１ｇの下方に指を差し入れて、係止爪部７、８と掛止眼部１ｇとの係合解除操作が容易に行えるようなっている。
また、幾つかの垂下補強片２ｃの下端面には、後述の払拭用糸モップの中央部に突き当てる突子９が突設されている。
【００２２】
次に、かかる構成になるモップ装置の組み付け手順を説明する。
まず、払拭用糸モップ１０を用意する。この払拭用糸モップ１０は、図７に示すように、多数本の糸条を所定の幅および厚みに重ねて略長方形状に揃え、これの長手方向の中央部に所定幅の布地１１を巻回し、ミシン糸によりこの布地１１を前記糸条に一体に縫い合わせる。
【００２３】
次に、この払拭用糸モップ１０を、布地１１の幅方向の中心線に沿って二つに折り曲げ、その布地１１部分を、図７に示すように、モップ装置を立てた状態で、モップ支持台１上に載せる。このとき、糸条がモップ支持台１上に載り上げないように、下方へ垂下させるように揃える。
【００２４】
次に、前記モップ抑圧部材２を布地１１上に臨むように位置させ、さらに垂下補強片２ｃおよびリブ６の下縁をその布地１１上に載せる。さらに、この乗せた状態にて、モップ抑圧部材２をモップ支持台１に対し、図８の矢印Ｂ方向に強く押し当てる。
【００２５】
これにより、モップ抑圧部材２両端の垂直片部２ａに形成された係止爪部８が、各垂直片部２ｂが互いに拡開するように撓むことによって、モップ支持台１両端の掛止部１ｇの傾斜面に沿って、滑るように案内され、遂にはその掛止部１ｇのＶ字溝内にカチッと音を立てて嵌まり込む。つまり、モップ抑圧部材２のワンタッチ操作（前記押し当て操作）によって、払拭用糸モップ１０をモップ支持台１上に保持することができる。
【００２６】
なお、払拭用糸モップ１１には、使用する糸の太さや本数によって布地１１部分が薄くなる場合がある。この場合には、前記モップ抑圧部材２とモップ支持台１との間に間隙が生じないように、モップ抑圧部材２をさらに強く押し当てる。これにより、係止爪部８の上部に連続する係止爪部７が前記掛止部１ｇのＶ字溝に嵌まり込み、その薄目の布地１１部分をモップ抑圧部材２によってしっかりと押圧保持することができる。
【００２７】
また、前記押し当てにより、各突子９の先端が布地１１の複数箇所に集中的に突き当てられる。このために、布地１１の保持がいっそう確実になり、布地１１がモップ支持台１およびモップ抑圧部材２間において、位置ずれすることを確実に回避することができる。
【００２８】
このように、本実施形態では、操作柄４の先端に取り付け可能な払拭用糸モップ１０のモップ支持台１と、モップ支持台１に対し前記払拭用糸モップ１０を介在して着脱可能な払拭用糸モップ１０のモップ抑圧部材２と、を設けて、モップ支持台１の両端部に設けた掛止部１ｇに対し、モップ抑圧部材２の両端に設けられた可撓性の係止爪部７、８を係止可能にしたことで、払拭用糸モップ１０をモップ支持台１上の載せ、この払拭用糸モップ１０の上に前記モップ抑圧部材２を抑圧するという操作で、モップ抑圧部材２両端の各係止爪部７、８をモップ支持台１における掛止部１ｇのＶ字溝に係止させることができ、また、この係止によって、前記払拭用糸モップ１０をこれの厚みに応じた押圧力で、モップ支持台１上に保持することが可能になる。
【産業上の利用可能性】
【００２９】
本考案のモップ装置は、払拭用糸モップの交換を、資源の無駄使いを招くことなく、容易かつ迅速に実施することができるという効果を有し、床面などの平坦面の清掃に利用するモップ装置等に有用である。
【図面の簡単な説明】
【００３０】
【図１】本考案の実施形態によるモップ装置を示す分解斜視図である。
【図２】図１に示したモップ支持台の平面図である。
【図３】図２に示したモップ支持台の側面図である
【図４】図２に示したモップ支持台のＡ‐Ａ線断面図である。
【図５】図１に示したモップ抑圧部材における要部の拡大斜視図である。
【図６】図１に示したモップ支持台とモップ抑圧部材との掛止状況の断面図である。
【図７】図１に示したモップ装置にモップ糸条を装着する状態の説明図である。
【図８】図１に示したモップ装置にモップ糸条を装着する別の状態の説明図である。
【符号の説明】
【００３１】
１…モップ支持台、１ｇ…掛止部、２…モップ抑圧部材、４…操作柄、５、６…リブ、７、８…係止爪部、９…突子、１０…払拭用糸モップ
【図１】
0003130030.tif 000003
【図２】
0003130030.tif 000004
【図３】
0003130030.tif 000005
【図４】
0003130030.tif 000006
【図５】
0003130030.tif 000007
【図６】
0003130030.tif 000008
【図７】
0003130030.tif 000009
【図８】
0003130030.tif 000010